(57)【要約】      （修正有）【課題】特に長時間の横臥により、局部的圧迫による褥瘡（じょくそう）ができないよう通気性と血行、制菌性、快適性等を考慮した極めて実用上の効果の高い寝具を提供する。【解決手段】寝具１の人体に近い上層に、マイナスイオンを放出する機能や、遠赤外線効果を有する機能や、消臭効果機能等の一つ又はそれらを組み合わせた複合機能を有する通気性表層シート２を配置し、低反発性を有し、復元時はスローリカバリー機能を有する上層マット３を配置し、制菌性を有する通気性制菌シート４を配置し、高弾性を有し、平面全体にわたって空気貫通孔６を有する中層マット５を配置し、高弾性を有し、無開孔又は平面全体にわたって空気貫通孔６を有する底層マット７を配置し、シート及びマット全体を抗菌防臭機能を有する布、ネット又は不織布製等の高機能抗菌カバー８で被覆する。【選択図】図２
0003131721.tif 000002
【実用新案登録請求の範囲】
【請求項１】
布団やマットレス等の寝具において、
人体に近い上層にマイナスイオンを放出する機能、遠赤外線効果を有する機能、消臭効果機能のいずれか一つ、又はそれらを組み合わせた複合機能を有する通気性表層シートを配し、
通気性表層シートの下層に前記通気性表層シートのマイナスイオンを放出する機能、遠赤外線効果を有する機能、消臭効果機能のいずれか一つ、又はそれらを組み合わせた複合機能をポンピング効果で拡散する低反発性を有し、且つ復元時はスローリカバリー機能を有する上層マットを配置し、
上層マットの下層に制菌機能を有する通気性制菌シートを配置し、
通気性制菌シートの下層に前記通気性制菌シートの制菌機能をポンピング効果で拡散する高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記のシート及びマット全体を抗菌剤が含浸、又は塗布された高機能抗菌カバーにより被覆することを特徴とする寝具。
【請求項２】
前記通気性表層シート、及び、叉は前記通気性制菌シートを、トルマリン含有のシートとするか、叉はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１記載の寝具。
【請求項３】
上層マットをスローリカバリー機能を有する低反発ウレタンスポンジ等の合成樹脂フォームとすると共に、中層マット及び、叉は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２記載の寝具。
【請求項４】
前記中層マットの平面及び、又は、前記底層マットの平面に、高さ方向に貫通する空気貫通孔を設けた寝具であって、前記空気貫通孔の直径Ｄを４〜１５ｍφとし、隣設する空気貫通孔とのピッチＰを６〜３０ｍｍとしたことを特徴とする請求項１、又は２、又は３記載の寝具。
【請求項５】
前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４記載の寝具。
【請求項６】
布団やマットレス等の寝具において、
寝具全体は、上マットと下マットにより構成されており、上マットの表面は、抗菌剤が含浸、又は塗布された高機能抗菌カバーにより被覆され、上マットの人体に近い上層にマイナスイオンを放出する機能、遠赤外線効果を有する機能、消臭効果機能のいずれか一つ、又はそれらを組み合わせた複合機能を有する通気性表層シート及び、又は前記通気性制菌シートを配し、
その下層に、前記通気性表層シートのマイナスイオンを放出する機能、遠赤外線効果を有する機能、消臭効果機能のいずれか一つ、又はそれらを組み合わせた複合機能、叉は前記通気性制菌シートの制菌機能をポンピング効果で拡散する低反発性を有し、且つ復元時はスローリカバリー機能を有する上層マットを配置し、
上層マットの下層に前記通気性表層シート及び、叉は前記通気性制菌シートを配置し、その下層を抗菌剤が含浸、又は塗布された高機能抗菌カバーにより被覆された上マットと、
下マットの表面は、抗菌剤が含浸、又は塗布された高機能抗菌カバーにより被覆され、前記高機能抗菌カバーの下層に前記高機能抗菌カバーの抗菌効果、消臭効果、防カビ効果等をポンピング効果で拡散する高弾性を有し、且つ無開孔又は平面にわたって空気貫通孔を有する中層マットを配置し、中層マットの下層に高弾性を有し、無開孔又は平面にわたって空気貫通孔を有する底層マットを配置し、その下層を抗菌剤が含浸、又は塗布された高機能抗菌カバーにより被覆された下マットとで構成したことを特徴とする請求項２、又は３、又は４，又は５記載の寝具。
【請求項７】
前記高機能抗菌カバーに含浸、又は塗布される抗菌剤は、人体に無害、かつ高抗菌性の穀類エキス系抗菌剤であることを特徴とする請求項１、又は２、又は３、又は４，又は５、叉は６記載の寝具。
【請求項８】
前記高機能抗菌カバーに含浸、又は塗布される穀類エキス系抗菌剤は、「エスイーワン等抗菌剤」であることを特徴とする請求項１、又は２、又は３、又は４，又は５、叉は６、または７記載の寝具。
【考案の詳細な説明】
【技術分野】
【０００１】  本考案は、病院や養護施設、一般家庭で用いられる寝具に関する。
【背景技術】
【０００２】  従来より、数多くの布団、マットレス等の寝具が提供されて来ていたが、急速な高齢化社会の到来による寝たきり老人や長期療養者の増加に伴い、長時間にわたってベッド生活を余儀なくされる人たちが増加してきている。
その場合、いわゆる床ずれと呼ばれる褥瘡（じょくそう）が発生し、これは、非常に治りにくい皮膚の潰瘍で、発熱の原因になったり、時に命取りになるため、褥瘡（じょくそう）を作りにくい寝具が望まれていた。【０００３】  これらの問題を解消しようとする特許文献としては、［特開２００５−８７２３９号］（以下、「引例」という）が提案されている。【０００４】  しかしこの引例においては、確かに体圧分散効果に対してのみは、考慮されているが、  現実の褥瘡発生においては、体圧分散効果だけでは不十分で、むしろ、体の圧迫部分の皮膚の接触部における通気性や、制菌性が、褥瘡発生に、最も影響を与えるのである。【０００５】  皮膚表面の圧迫部分には、まず湿気が発生し、次にそれで、皮膚表面が不潔となり、次に炎症の発生となり、それが褥瘡発生に繋がるのである。また炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する抗菌性が重要な要素となるのである。
引例の構造には、平面に通気孔が全くなきため、圧迫部分の皮膚表面の湿気はこもってしまうのである。通気性は、最も重要な要素の一つなので積層弾性クッション間の隙間では、全くその効果は期待できない。
従って耐圧分散によるハンモック効果を無くすだけの構成であり、制菌性や、その他快適感に必要なマイナスイオン効果、遠赤外線効果、消臭効果等の重要な機能も有していないものであった。
【特許文献１】特開２００５−８７２３９号
【考案の開示】
【考案が解決しようとする課題】
【０００６】    本考案は、前述の問題を解決した寝具を提供するもので、特に長時間の横臥により、局部的圧迫による褥瘡（じょくそう）ができないよう通気性と血行、制菌性、快適性等を考慮した極めて実用上の効果の高い寝具を提供するものである。
【課題を解決するための手段】
【０００７】  布団やマットレス等の寝具において、
人体に近い上層にマイナスイオンを放出する機能、遠赤外線効果を有する機能、消臭効果機能のいずれか一つ、又はそれらを組み合わせた複合機能を有する通気性表層シートを配し、
通気性表層シートの下層に前記通気性表層シートのマイナスイオンを放出する機能、遠赤外線効果を有する機能、消臭効果機能のいずれか一つ、又はそれらを組み合わせた複合機能をポンピング効果で拡散する低反発性を有し、且つ復元時はスローリカバリー機能を有する上層マットを配置し、
上層マットの下層に制菌機能を有する通気性制菌シートを配置し、
通気性制菌シートの下層に前記通気性制菌シートの制菌機能をポンピング効果で拡散する高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記のシート及びマット全体を抗菌剤が含浸、又は塗布された高機能抗菌カバーにより被覆することを特徴とする寝具を提供する。【０００８】  前記通気性表層シート、及び、叉は前記通気性制菌シートを、トルマリン含有のシートとするか、叉はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１記載の寝具を提供する。【０００９】  上層マットをスローリカバリー機能を有する低反発ウレタンスポンジ等の合成樹脂フォームとすると共に、中層マット及び、叉は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２記載の寝具を提供する。【００１０】  前記中層マットの平面及び、又は、前記底層マットの平面に、高さ方向に貫通する空気貫通孔を設けた寝具であって、前記空気貫通孔の直径Ｄを４〜１５ｍφとし、隣設する空気貫通孔とのピッチＰを６〜３０ｍｍとしたことを特徴とする請求項１、又は２、又は３記載の寝具を提供する。【００１１】  前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４記載の寝具を提供する。【００１２】  布団やマットレス等の寝具において、
寝具全体は、上マットと下マットにより構成されており、上マットの表面は、抗菌剤が含浸、又は塗布された高機能抗菌カバーにより被覆され、上マットの人体に近い上層にマイナスイオンを放出する機能、遠赤外線効果を有する機能、消臭効果機能のいずれか一つ、又はそれらを組み合わせた複合機能を有する通気性表層シート及び、叉は前記通気性制菌シートを配し、
その下層に、前記通気性表層シートのマイナスイオンを放出する機能、遠赤外線効果を有する機能、消臭効果機能のいずれか一つ、又はそれらを組み合わせた複合機能、叉は前記通気性制菌シートの制菌機能をポンピング効果で拡散する低反発性を有し、且つ復元時はスローリカバリー機能を有する上層マットを配置し、
上層マットの下層に前記通気性表層シート及び、叉は前記通気性制菌シートを配置し、その下層を抗菌剤が含浸、又は塗布された高機能抗菌カバーにより被覆された上マットで構成する。【００１３】  その下に配置する下マットの表面は、抗菌剤が含浸、又は塗布された高機能抗菌カバーにより被覆され、前記高機能抗菌カバーの下層に前記高機能抗菌カバーの抗菌効果、消臭効果、防カビ効果等をポンピング効果で拡散する高弾性を有し、且つ無開孔又は平面にわたって空気貫通孔を有する中層マットを配置し、中層マットの下層に高弾性を有し、無開孔又は平面にわたって空気貫通孔を有する底層マットを配置し、その下層を抗菌剤が含浸、又は塗布された高機能抗菌カバーにより被覆された下マットとで構成したことを特徴とする請求項２、又は３、又は４、又は５記載の寝具を提供する。【００１４】  前記高機能抗菌カバーに含浸、又は塗布される抗菌剤は、人体に無害、かつ高抗菌性の穀類エキス系抗菌剤であることを特徴とする請求項１、又は２、又は３、又は４，又は５、叉は６記載の寝具を提供する。【００１５】  前記高機能抗菌カバーに含浸、又は塗布される穀類エキス系抗菌剤は、「エスイーワン等抗菌剤」であることを特徴とする請求項１、又は２、又は３、又は４，又は５、叉は６、または７記載の寝具を提供する。
【考案の効果】
【００１６】  本考案の寝具は、褥瘡（じょくそう）の発生と進行を抑える実際上の効果を有するものである。その特徴を列記すると
（１）通気性表層シート２によりマイナスイオンを放出する機能や、遠赤外線効果を有する機能や、消臭効果機能等の複合機能が付与されることにより、人体に快適感を与える。
（２）次に上層マット３は、低反発性であるため、ゆっくり沈み、ゆっくり戻ってくるため、通気性表層シート２に付与されたマイナスイオン放出機能、遠赤外線効果、消臭効果等の複合機能、叉は前記通気性制菌シートの制菌機能をポンピング機能により拡散する働きを発揮する。
（３）また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。
（４）通気性制菌シートの制菌手段、叉は実施例３の高機能抗菌カバーを通過した湿気及び腐敗物質、又は、マイナスイオン放出機能、遠赤外線効果、消臭効果等の複合機能効果は、中層マット部の空気貫通孔に流れ、ポンピング機能により通気性制菌シート、叉は、高機能抗菌カバーの抗菌・制菌作用を拡散する働きを発揮し、制菌されより清潔となる。
（５）更に湿気分散効果を発揮する。
（６）空気貫通孔の配列により、体圧の分散効果が計れる。
（７）皮膚が乾燥するため、不潔にならず、腐敗菌の発生が押さえられる。
（８）実施例３の上マット１１と下マット１２に分けることにより、人体に近く汚れ易い上マット１１が、洗濯しやすく、また上下裏返しで使用することにより２倍使用でき、叉、上マットだけを交換でき、運搬も上マットを巻き込んで容易に行うことができる。
【考案を実施するための最良の形態】
【００１７】    本考案は、考案の効果に前述した如く、すなわち、褥瘡（じょくそう）の発生と進行を押さえ快適性を有する多くの機能を具備した画期的な構成を提供するものである。
なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１８】  以下、本考案の実施例について、図面を参照しながら説明する。
この実施例の配置は、
図１、図２に示すように、寝具１の人体に近い上層に、通気性表層シート２を配置し、該通気性表層シート２は、マイナスイオンを放出する機能や、遠赤外線効果を有する機能や、消臭効果機能等の一つ又はそれらを組み合わせた複合機能を有している。【００１９】  通気性表層シート２の下層には、低反発性を有し、復元時はスローリカバリー機能を有する上層マット３が配置されている。
上層マット３の下層には、制菌性を有する通気性制菌シート４を配置し、
該通気性制菌シート４の下層には、高弾性を有し、平面全体にわたって空気貫通孔６を有する中層マット５を配置している。【００２０】  中層マット５の下層には、高弾性を有し、無開孔又は平面全体にわたって空気貫通孔６を有する底層マット７を配置している。【００２１】  そして、前記のシート及びマット全体を抗菌防臭機能を有する布、ネット又は不織布製等の高機能抗菌カバー８で被覆している。
したがって、前記、課題等で述べた寝具が具備すべき望ましい機能を複合的に組合せ、効果を発揮できるのである。【００２２】  次に、効果及び寸法を述べると、
通気性表層シート２によりマイナスイオンを放出する機能や、遠赤外線効果を有する機能や、消臭効果機能等の複合機能が付与されることにより、人体に快適感を与える。【００２３】  次に上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。【００２４】  上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有するため、褥瘡（じょくそう）の発生の防止効果と進行を防止する効果を発揮するのである。【００２５】  また、該通気性制菌シート４の下層には、高弾性を有し、平面全体にわたって空気貫通孔６を有する中層マット５を配置している。叉、無開孔としても良い。
図３に示すように、空気貫通孔６は、直径Ｄを４〜１５ｍｍφとし、隣設する空気貫通孔６とのピッチＰを６〜３０ｍｍとする。【００２６】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピング効果により拡散されより清潔となる。
５）更に中層マット５の空気貫通孔により湿気分散効果を発揮すること。
等の効果により褥瘡（じょくそう）の発生と進行を抑える機能を発揮する。【００２７】  中層マット５の下層には、高弾性を有し、無開孔又は平面全体にわたって空気貫通孔６を有する底層マット７を配置している。
この底層マット７は、高弾性ウレタンフォーム等の材質により寝具全体の基底部を構成しており、過度の沈込みを防止し、体を安定して支持する土台としての効果を発揮している。【００２８】  更に前記のシート及びマット全体を抗菌防臭機能を有する高機能抗菌カバー８で被覆する。
高機能抗菌カバー８は、人体に直接触れるので、その安全性や抗菌性が最も必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため抗菌剤が含浸、塗布等の方法で適用される。
具体的には、抗菌、防カビ、消臭製の高い穀類エキス系抗菌剤を用いることが望ましい。更に、この高機能抗菌カバー８はハーブ等の自然の成分を含浸させることにより、べた付きを抑え、芳香により心身を癒す効果を与えても良い。【００２９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００３０】  それぞれのシート及びマットの厚さは、図２に示すように、通気性表層シート２の厚さ（ｔ１）＝０．５〜７ｍｍ、上層マット３の厚さ（ｔ２）＝２０〜１００ｍｍ、通気性制菌シート２の厚さ（ｔ３）＝０．５〜７ｍｍ、中層マット３の厚さ（ｔ４）＝１０〜１００ｍｍ、底層マット７の厚さ（ｔ５）＝１０〜１００ｍｍ、更に高機能抗菌カバー８の厚さ（ｔ０）＝０．２〜７ｍｍ、とすることが望ましく、それぞれの材料の一般物性値によりこの範囲より選定される。
次に、それぞれのシート及びマットの材質や、詳細の機能について述べる。【００３１】  通気性表層シート２の機能を有するものの実施例としては、トルマリン含有のシートを用いる。
トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００３２】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため最上層に配置するのである。実用される材質例としては、トルマリンシート（登録商標）を用いても良い。
叉、通気性表層シート２に、通気性制菌シート４と同一の、制菌シートの材料を使用しても良い。【００３３】  次に、上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット３は、若干の通気性を有することが望ましい。【００３４】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。
叉、上層マット３には、穀類エキス系抗菌剤、「エスイーワン等抗菌剤」を、含浸、塗布等しても良い。【００３５】  次に、上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００３６】  次に、通気性制菌シート４の下層には、高弾性を有し、平面全体にわたって空気貫通孔６を有する中層マット５を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピング効果により拡散されより清潔となる。
５）更に中層マット５の空気貫通孔により湿気分散効果を発揮すること。
等の効果により褥瘡（じょくそう）の発生と進行を抑える機能を発揮する。
叉、通気性制菌シート４に、通気性表層シート２と同一のマイナスイオンを放出する機能や、遠赤外線効果を有する機能や、消臭効果機能等の複合機能を有する材料を使用しても良い。【００３７】  中層マット５の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５、０％以下、伸びが、７０％以上等の材料を使用する。叉、中層マット５には、穀類エキス系抗菌剤、「エスイーワン等抗菌剤」を、含浸、塗布等しても良い。【００３８】  中層マット５の下層には、高弾性を有し、無開孔又は平面全体にわたって空気貫通孔６を有する底層マット７を配置している。
空気貫通孔６は、底層マット７に対しへたり防止や高弾性を持たせるため、無開孔とすることが多い。
この底層マット７は、高弾性ウレタンフォーム等の材質により寝具全体の基底部を構成しており、過度の沈込みを防止し、体を安定して支持する土台としての効果を発揮している。【００３９】  底層マット７の材質の実施例としては、中層マット５と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。叉、底層マット７には、穀類エキス系抗菌剤、「エスイーワン等抗菌剤」を、含浸、塗布等しても良い。【００４０】  さらに、前記のシート及びマット全体を高機能抗菌カバー８で被覆するが、高機能抗菌カバー８は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。【００４１】  それらに抗菌性等を持たせるため抗菌剤が含浸、塗布等の方法で適用される。
具体的には、抗菌、防カビ、消臭製の高い穀類エキス系抗菌剤を用いることが望ましい。
その例としては、ニッセキ株式会社（登録商標）製のエスイーワン（登録商標）やバイオコートＥＰ（登録商標）と呼ばれる抗菌、防カビ、消臭製の高い材料（以下「エスイーワン等抗菌剤」と呼ぶ）を用いることが望ましい。この「エスイーワン等抗菌剤」は、従来の抗菌剤が銀、銅、亜鉛などの重金属による「銀系抗菌剤」であったのに対し、大豆、米、麦などの穀類エキスを主成分とした抗菌剤である。
従って、人間の皮膚に触れて刺激性がなく、経口しても問題のない抗菌剤である。
抗菌範囲が広く、抗菌力が強いもので、「Ｏ−１５７、」「メチシリン耐性黄色ブドウ球菌（ＭＲＳＡ）」、「大腸菌」、「緑膿菌」、「白癬菌」、「レジオネラ菌」、「サルモネラ菌」、「カビ」等に対する抗菌性が高いものである。
その１例として、図７の穀類エキス系抗菌剤である「エスイーワン等抗菌剤」の試験データが示すように、それらの菌等全てに対し、極めて高い抗菌力を示している。その他多くの試験データにより抗菌力、人体に対する無害性を証明されている。
この「エスイーワン等抗菌剤」は、含浸、塗布等により適用することができ、直接肌に触れるため、褥瘡防止に最大の効果を発揮する重要な役割を果たしている。【００４２】  また、この「エスイーワン等抗菌剤」に加えて、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。
【実施例２】
【００４３】  本考案の実施例２は、前記通気性制菌シート４のみ、又は通気性表層シート２と通気性制菌シート４の両方の材質を、抗ウイルス性を有する天然ドロマイトを処理したドロマイト含有シートを使用するか、または前記通気性制菌シート４、又は通気性表層シート２に、前記ドロマイト含有シートを組み合わせて使用することを特徴とする。【００４４】  前記ドロマイト含有シートは、例えば、天然ドロマイトを使用した抗ウイルス加工のＢＲ−ｐ３フィルター（登録商標）シート等であって、カルシウムとマグネシウムが主成分のサンゴの化石「ドロマイト（白雲石）」に熱等の特殊処理を加えて製造した合成繊維シートである。
この繊維は、前記通気性制菌シート４の制菌性に、さらに鳥インフルエンザウイルス等のウイルスを破壊する等の極めて制菌性の高い画期的な合成繊維である。従って、本実施例２によれば、更に、高機能の寝具を提供することが出来るのである。
【実施例３】
【００４５】  本実施例は、図４、図５、図６に示すもので、図４は実施例３の全体斜視図である。
図５は、実施例３の上マットの側面図及び部分断面図である。
図５は、実施例３の下マットの側面図及び部分断面図である。
図４に示すように、寝具１は、上マット１１と、下マット１２で構成されており、図４のように、通常重ねて使用される。【００４６】  従って実施例１に対し、上マット１１を分離できるため、人体に近く汚れやすい上マット１１を単独で扱うことにより、上マット１１のみを上下ひっくり返して２倍使ったり、上マット１１のみを洗濯したり、交換することができるのである。また、上マットは、厚さが相対的に薄いので、ロール状に巻いて容易に運搬することができる。【００４７】  上マット１１の構成は、図５に示すように、上マット１１の全体表面は、高機能抗菌カバー１３により被覆されており、高機能抗菌カバー１３の内側には、通気性表層シート１４、その下には、上層マット１５、その下は、同様に通気性シート１４で構成され、その下には前記高機能抗菌カバー１３が、配置され上マット１１を被覆している。【００４８】  下マット１２は、前述の実施例１と同様の機能で、全体を支える役割を果たす。
詳細を順を追って説明すると、高機能抗菌カバー１３は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため穀物エキス系抗菌剤が含浸、塗布等の方法で適用される。
具体的には、前述のニッセキ株式会社（登録商標）製の「エスイーワン等抗菌剤」を用いることが望ましい。この「エスイーワン等抗菌剤」の特徴は、実施例１で述べたように、直接肌に触れるため、褥瘡防止に最大の効果を発揮する重要な役割を果たしており、極めて安全で、優れた性能を有する抗菌剤である。【００４９】  また、この「エスイーワン等抗菌剤」に、ハーブ等の自然の成分を含浸させることにより、べた付きを抑え、芳香により心身を癒す効果を与えても良い。
次に人体に近い寝具１の上マット１１の最上層に、通気性表層シート１４を配置し、該通気性表層シート１４は前記通気性表層シート２と同一の材料で、マイナスイオンを放出する機能や、遠赤外線効果を有する機能や、消臭効果機能等の一つ又はそれらを組み合わせた複合機能を有している。【００５０】  通気性表層シート１４の下層には、低反発性を有し、復元時はスローリカバリー機能を有する上層マット１５が配置されており、前記上層マット３と同一の材料となっている。いる。【００５１】  上層マット１５の下層には、最上層と同一の通気性表層シート１４を配置し、その下は、前記高機能抗菌カバー１３によりカバーされている。
以上が上マット１１の構成である。【００５２】  次に下マット１２は、最上面は前記高機能抗菌カバー１３によりカバーされ、前記高機能抗菌カバー１３の下層には、高弾性を有し、平面全体にわたって空気貫通孔６を有する中層マット１６を配置しており、前記中層マット７と同一の材料である。【００５３】  中層マット１６の下層には、高弾性を有し、無開孔又は平面全体にわたって空気貫通孔６を有する底層マット１７を配置している。
そして、その下側を前記高機能抗菌カバー１３で被覆している。
したがって、前記、課題等で述べた寝具が具備すべき望ましい機能を複合的に組合せ、効果を発揮できるのである。【００５４】  すなわち、表面の高機能抗菌カバー１３には、「エスイーワン等抗菌剤」を布、ネット又は不織布に対し、含浸、塗布等されており、次に、通気性表層シート１４によりマイナスイオンを放出する機能や、遠赤外線効果を有する機能や、消臭効果機能等の複合機能が付与されることにより、人体に快適感を与える。【００５５】  次に上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。そして、上層マット１５の下層には、通気性表層シート１４が配置され前述の効果を発揮する。【００５６】  下マット１２の詳細を述べると、前記高機能抗菌カバー１３の下層には、高弾性を有し、平面全体にわたって空気貫通孔６を有する中層マット１６を配置している。
図３に示すように、空気貫通孔６は、直径Ｄを４〜１５ｍｍφとし、隣設する空気貫通孔６とのピッチＰを６〜３０ｍｍとする。【００５７】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピング効果により拡散されより清潔となる。
５）更に中層マット１６の空気貫通孔により湿気分散効果を発揮すること。
等の効果により褥瘡（じょくそう）の発生と進行を抑える機能を発揮する。【００５８】  中層マット１６の下層には、高弾性を有し、無開孔又は平面全体にわたって空気貫通孔６を有する底層マット１７を配置している。
この底層マット１７は、高弾性ウレタンフォーム等の材質により寝具全体の基底部を構成しており、過度の沈込みを防止し、体を安定して支持する土台としての効果を発揮している。【００５９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００６０】  それぞれのシート及びマットの厚さは、図５、図６に示すように、高機能抗菌カバー１３の厚さ（ｔ０）＝０．２〜７ｍｍ、通気性表層シート１４の厚さ（ｔ１）＝０．５〜７ｍｍ、上層マット１５の厚さ（ｔ２）＝１０〜１００ｍｍ、次の通気性表層シート１４の厚さ（ｔ１）＝０．５〜７ｍｍであることが望ましい。
また下マット１２の中層マット１６の厚さ（ｔ４）＝１０〜１００ｍｍ、底層マット１７の厚さ（ｔ５）＝１０〜１００ｍｍとすることが望ましく、それぞれの材料の一般物性値によりこの範囲より選定される。
次に、それぞれのシート及びマットの材質や、詳細の機能について述べる。【００６１】  高機能抗菌カバー１３は、前述の如く、「エスイーワン等抗菌剤」を布、ネット又は不織布に対し、含浸、塗布等されている。【００６２】  次の通気性表層シート１４の機能を有するものの実施例としては、トルマリン含有のシートを用いる。トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００６３】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため上層に配置するのである。実用される材質例としては、トルマリンシート（登録商標）を用いても良い。【００６４】  次に、上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット１５は、若干の通気性を有することが望ましい。【００６５】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。また前述のように、上層マット１５に対しても、前記穀類エキス系抗菌剤、「エスイーワン等抗菌剤」が、含浸、塗布等されることが望ましい。【００６６】  また、次に、上層マット１５の下層に配置した通気性表層シート１４は、トルマリンシート（登録商標）を用いるが、それに変えて前述の通気性制菌シート４と同一の材料としても良い。
通気性制菌シート４の場合は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００６７】  次に、下マット１２の高機能抗菌カバー１３の下層には、高弾性を有し、平面全体にわたって空気貫通孔６を有する中層マット１６を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性表層シート１４又は、通気性制菌シート４と同一の材料により制菌され空気貫通孔６のポンピング効果により拡散されより清潔となる。
５）更に中層マット１６の空気貫通孔により湿気分散効果を発揮すること。
等の効果により褥瘡（じょくそう）の発生と進行を抑える機能を発揮する。【００６８】  中層マット１６の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また前述のように、中層マット１６に対しても、前記穀類エキス系抗菌剤、「エスイーワン等抗菌剤」が、含浸、塗布等されることが望ましい。【００６９】  中層マット１６の下層には、高弾性を有し、無開孔又は平面全体にわたって空気貫通孔６を有する底層マット１７を配置している。
空気貫通孔６は、底層マット１７に対しへたり防止や高弾性を持たせるため、無開孔とすることが多い。
この底層マット１７は、高弾性ウレタンフォーム等の材質により寝具全体の基底部を構成しており、過度の沈込みを防止し、体を安定して支持する土台としての効果を発揮している。【００７０】  底層マット１７の材質の実施例としては、中層マット１６と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また中層マット１６と同様底層マット１７に対しても、前記穀類エキス系抗菌剤、「エスイーワン等抗菌剤」が、含浸、塗布等されることが望ましい。【００７１】  さらに、その下表面を高機能抗菌カバー１３で被覆するが、前記穀類エキス系抗菌剤、「エスイーワン等抗菌剤」が、布、ネット又は不織布に対し、含浸、塗布等されている。
また、この「エスイーワン等抗菌剤」に、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。【００７２】    ［変形実施例］
この考案は次のように変形して実施することを含むものである。
（１）中層マット５、１６又は底層マット７，１７を一体として、いずれかを設けなくても良い。
（２）上層マット３を設けず、通気性表層シート２の下層に中層マット５を配置し、該中層マット５の下層に通気性制菌シート４を配置し、該通気性制菌シート４の下層に底層マット７を配置する組合せとしても良い。この構成とすると、構造が単純となり、コスト的にも削減が可能となる。
（３）上層マット３、１５、中層マット５、１６、底層マット７、１７の材質を、前記した夫々のいずれかの材質に統一したり、いずれかの材質を選定する構成とすることも可能である。この構成とすると、同様に構造が単純となり、コスト的にも削減が可能となる。
（４）高機能抗菌カバー８、高機能抗菌カバー１３を通常の綿、麻、合成樹脂等の布製高機能抗菌カバーとしても良い。
（５）実施例３の下マット１２は、通常の敷布団又は、マットレス等でも良く、それらを、高機能抗菌カバー１３で、被覆しても良い。
【産業上の利用可能性】
【００７３】    本考案の活用例としては、以上説明したように、急速な高齢化社会の到来による寝たきり老人や長期療養者の増加に伴い、病院や養護施設、一般家庭で用いられる寝具に関し、褥瘡（じょくそう）を防止する寝具を提供するため、高齢化社会問題の解決と画期的製品による産業の活性化に貢献することが出来る。
【図面の簡単な説明】
【００７４】
【図１】本考案の実施例１、２の全体斜視図である。
【図２】本考案の実施例１、２の側面図及び部分断面図である。
【図３】本考案の実施例１、２のＡ−Ａ断面図である。
【図４】本考案の実施例３の全体斜視図である。
【図５】本考案の実施例３の上マットの側面図及び部分断面図である。
【図６】本考案の実施例３の下マットの側面図及び部分断面図である。
【図７】「エスイーワン等抗菌剤」の試験データである。
【符号の説明】
【００７５】１  寝具
２、１４  通気性表層シート
３、１５  上層マット
４        通気性制菌シート
５、１６  中層マット
６        空気貫通孔
７、１７  底層マット
８、１３  高機能抗菌カバー
１１      上マット
１２      下マット
【図１】
0003131721.tif 000003
【図２】
0003131721.tif 000004
【図３】
0003131721.tif 000005
【図４】
0003131721.tif 000006
【図５】
0003131721.tif 000007
【図６】
0003131721.tif 000008
【図７】
0003131721.tif 000009
【手続補正書】
【提出日】平成18年10月30日(2006.10.30)
【手続補正１】
【補正対象書類名】実用新案登録請求の範囲
【補正対象項目名】全文
【補正方法】変更
【補正の内容】
【実用新案登録請求の範囲】
【請求項１】
布団やマットレス等の寝具において、
人体に近い上層にマイナスイオンを放出する機能、遠赤外線効果を有する機能、消臭効果機能のいずれか一つ、又はそれらを組み合わせた複合機能を有する通気性表層シートを配し、
通気性表層シートの下層に前記通気性表層シートのマイナスイオンを放出する機能、遠赤外線効果を有する機能、消臭効果機能のいずれか一つ、又はそれらを組み合わせた複合機能をポンピング効果で拡散する低反発性を有し、且つ復元時はスローリカバリー機能を有する上層マットを配置し、
上層マットの下層に制菌機能を有する通気性制菌シートを配置し、
通気性制菌シートの下層に前記通気性制菌シートの制菌機能をポンピング効果で拡散する高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記のシート及びマット全体を抗菌剤が含浸、又は塗布された高機能抗菌カバーにより被覆することを特徴とする寝具。
【請求項２】
前記通気性表層シート、及び／叉は前記通気性制菌シートを、トルマリン含有のシートとするか、又はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１記載の寝具。
【請求項３】
上層マットをスローリカバリー機能を有する低反発ウレタンスポンジ等の合成樹脂フォームとすると共に、中層マット、及び／又は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２記載の寝具。
【請求項４】
前記中層マットの平面及び、又は、前記底層マットの平面に、高さ方向に貫通する空気貫通孔を設けた寝具であって、前記空気貫通孔の直径Ｄを４〜１５ｍｍφとし、隣設する空気貫通孔とのピッチＰを６〜３０ｍｍとしたことを特徴とする請求項１、又は２、又は３記載の寝具。
【請求項５】
前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４記載の寝具。
【請求項６】
布団やマットレス等の寝具において、
寝具全体は、上マットと下マットにより構成されており、上マットの表面は、抗菌剤が含浸、又は塗布された高機能抗菌カバーにより被覆され、上マットの人体に近い上層にマイナスイオンを放出する機能、遠赤外線効果を有する機能、消臭効果機能のいずれか一つ、又はそれらを組み合わせた複合機能を有する通気性表層シート及び／又は前記通気性制菌シートを配し、
その下層に、前記通気性表層シートのマイナスイオンを放出する機能、遠赤外線効果を有する機能、消臭効果機能のいずれか一つ、又はそれらを組み合わせた複合機能、又は前記通気性制菌シートの制菌機能をポンピング効果で拡散する低反発性を有し、且つ復元時はスローリカバリー機能を有する上層マットを配置し、
上層マットの下層に前記通気性表層シート及び／又は前記通気性制菌シートを配置し、その下層を抗菌剤が含浸、又は塗布された高機能抗菌カバーにより被覆された上マットと、
下マットの表面は、抗菌剤が含浸、又は塗布された高機能抗菌カバーにより被覆され、前記高機能抗菌カバーの下層に前記高機能抗菌カバーの抗菌効果、消臭効果、防カビ効果等をポンピング効果で拡散する高弾性を有し、且つ無開孔又は平面にわたって空気貫通孔を有する中層マットを配置し、中層マットの下層に高弾性を有し、無開孔又は平面にわたって空気貫通孔を有する底層マットを配置し、その下層を抗菌剤が含浸、又は塗布された高機能抗菌カバーにより被覆された下マットとで構成したことを特徴とする請求項２、又は３、又は４，又は５記載の寝具。
【請求項７】
前記高機能抗菌カバーに含浸、又は塗布される抗菌剤は、人体に無害、かつ高抗菌性の穀類エキス系抗菌剤であることを特徴とする請求項１、又は２、又は３、又は４，又は５、又は６記載の寝具。
【手続補正２】
【補正対象書類名】明細書
【補正対象項目名】全文
【補正方法】変更
【補正の内容】
【考案の詳細な説明】
【技術分野】
【０００１】  本考案は、病院や養護施設、一般家庭で用いられる寝具に関する。
【背景技術】
【０００２】  従来より、数多くの布団、マットレス等の寝具が提供されて来ていたが、急速な高齢化社会の到来による寝たきり老人や長期療養者の増加に伴い、長時間にわたってベッド生活を余儀なくされる人たちが増加してきている。
その場合、いわゆる床ずれと呼ばれる褥瘡（じょくそう）が発生し、これは、非常に治りにくい皮膚の潰瘍で、発熱の原因になったり、時に命取りになるため、褥瘡（じょくそう）を作りにくい寝具が望まれていた。【０００３】  これらの問題を解消しようとする特許文献としては、［特開２００５−８７２３９号］（以下、「引例」という）が提案されている。【０００４】  しかしこの引例においては、確かに体圧分散効果に対してのみは、考慮されているが、
現実の褥瘡発生においては、体圧分散効果だけでは不十分で、むしろ、体の圧迫部分の皮膚の接触部における通気性や、制菌性が、褥瘡発生に、最も影響を与えるのである。【０００５】  皮膚表面の圧迫部分には、まず湿気が発生し、次にそれで、皮膚表面が不潔となり、次に炎症の発生となり、それが褥瘡発生に繋がるのである。また炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する抗菌性が重要な要素となるのである。
引例の構造には、平面に通気孔が全くなきため、圧迫部分の皮膚表面の湿気はこもってしまうのである。通気性は、最も重要な要素の一つなので積層弾性クッション間の隙間では、全くその効果は期待できない。
従って耐圧分散によるハンモック効果を無くすだけの構成であり、制菌性や、その他快適感に必要なマイナスイオン効果、遠赤外線効果、消臭効果等の重要な機能も有していないものであった。
【特許文献１】特開２００５−８７２３９号
【考案の開示】
【考案が解決しようとする課題】
【０００６】    本考案は、前述の問題を解決した寝具を提供するもので、特に長時間の横臥により、局部的圧迫による褥瘡（じょくそう）ができないよう通気性と血行、制菌性、快適性等を考慮した極めて実用上の効果の高い寝具を提供するものである。
【課題を解決するための手段】
【０００７】  布団やマットレス等の寝具において、
人体に近い上層にマイナスイオンを放出する機能、遠赤外線効果を有する機能、消臭効果機能のいずれか一つ、又はそれらを組み合わせた複合機能を有する通気性表層シートを配し、
通気性表層シートの下層に前記通気性表層シートのマイナスイオンを放出する機能、遠赤外線効果を有する機能、消臭効果機能のいずれか一つ、又はそれらを組み合わせた複合機能をポンピング効果で拡散する低反発性を有し、且つ復元時はスローリカバリー機能を有する上層マットを配置し、
上層マットの下層に制菌機能を有する通気性制箘シートを配置し、
通気性制菌シートの下層に前記通気性制菌シートの制菌機能をポンピング効果で拡散する高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記のシート及びマット全体を抗菌剤が含浸、又は塗布された高機能抗菌カバーにより被覆することを特徴とする寝具を提供する。【０００８】  前記通気性表層シート、及び／又は前記通気性制菌シートを、トルマリン含有のシートとするか、叉はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１記載の寝具を提供する。【０００９】  上層マットをスローリカバリー機能を有する低反発ウレタンスポンジ等の合成樹脂フォームとすると共に、中層マット、及び／又は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２記載の寝具を提供する。【００１０】  前記中層マットの平面及び、又は、前記底層マットの平面に、高さ方向に貫通する空気貫通孔を設けた寝具であって、前記空気貫通孔の直径Ｄを４〜１５ｍｍφとし、隣設する空気貫通孔とのピッチＰを６〜３０ｍｍとしたことを特徴とする請求項１、又は２、又は３記載の寝具を提供する。【００１１】  前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４記載の寝具を提供する。【００１２】  布団やマットレス等の寝具において、
寝具全体は、上マットと下マットにより構成されており、上マットの表面は、抗菌剤が含浸、又は塗布された高機能抗菌カバーにより被覆され、上マットの人体に近い上層にマイナスイオンを放出する機能、遠赤外線効果を有する機能、消臭効果機能のいずれか一つ、又はそれらを組み合わせた複合機能を有する通気性表層シート及び／又は前記通気性制菌シートを配し、
その下層に、前記通気性表層シートのマイナスイオンを放出する機能、遠赤外線効果を有する機能、消臭効果機能のいずれか一つ、又はそれらを組み合わせた複合機能、又は前記通気性制菌シートの制菌機能をポンピング効果で拡散する低反発性を有し、且つ復元時はスローリカバリー機能を有する上層マットを配置し、
上層マットの下層に前記通気性表層シート及び／又は前記通気性制菌シートを配置し、その下層を抗菌剤が含浸、又は塗布された高機能抗菌カバーにより被覆された上マットで構成する。【００１３】  その下に配置する下マットの表面は、抗菌剤が含浸、又は塗布された高機能抗菌カバーにより被覆され、前記高機能抗菌カバーの下層に前記高機能抗菌カバーの抗菌効果、消臭効果、防カビ効果等をポンピング効果で拡散する高弾性を有し、且つ無開孔又は平面にわたって空気貫通孔を有する中層マットを配置し、中層マットの下層に高弾性を有し、無開孔又は平面にわたって空気貫通孔を有する底層マットを配置し、その下層を抗菌剤が含浸、又は塗布された高機能抗菌カバーにより被覆された下マットとで構成したことを特徴とする請求項２、又は３、又は４、又は５記載の寝具を提供する。【００１４】  前記高機能抗菌カバーに含浸、又は塗布される抗菌剤は、人体に無害、かつ高抗菌性の穀類エキス系抗菌剤であることを特徴とする請求項１、又は２、又は３、又は４，又は５、又は６記載の寝具を提供する。
【考案の効果】
【００１５】
【００１６】  本考案の寝具は、褥瘡（じょくそう）の発生と進行を抑える実際上の効果を有するものである。その特徴を列記すると
（１）通気性表層シート２によりマイナスイオンを放出する機能や、遠赤外線効果を有        する機能や、消臭効果機能等の複合機能が付与されることにより、人体に快適感        を与える。
（２）次に上層マット３は、低反発性であるため、ゆっくり沈み、ゆっくり戻ってくる        ため、通気性表層シート２に付与されたマイナスイオン放出機能、遠赤外線効果        、消臭効果等の複合機能、叉は前記通気性制菌シートの制菌機能をポンピング機        能により拡散する働きを発揮する。
（３）また、身体になじみやすく局部的接触圧力を分散し接触面を広く取る効果がある        ため、褥瘡（じょくそう）の発生の防止効果があり、また復元時はスローリカバ        リー機能を有するため理想的な寝姿勢を保ち、肩こりや疲れなどに対し効果を発        揮する。
（４）通気性制菌シートの制菌手段、又は実施例３の高機能抗菌カバーを通過した湿気        及び腐敗物質、叉は、マイナスイオン放出機能、遠赤外線効果、消臭効果等の複        合機能効果は、中層マット部の空気貫通孔に流れ、ポンピング機能により通気性        制菌シート、叉は、高機能抗菌カバーの抗菌・制菌作用を拡散する働きを発揮し        、制菌されより清潔となる。
（５）更に湿気分散効果を発揮する。
（６）空気貫通孔の配列により、体圧の分散効果が計れる。
（７）皮膚が乾燥するため、不潔にならず、腐敗菌の発生が押さえられる。
（８）実施例３の上マット１１と下マット１２に分けることにより、人体に近く汚れ易        い上マット１１が、洗濯しやすく、また上下裏返しで使用することにより２倍使        用でき、叉、上マットだけを交換でき、運搬も上マットを巻き込んで容易に行う        ことができる。
【考案を実施するための最良の形態】
【００１７】    本考案は、考案の効果に前述した如く、すなわち、褥瘡（じょくそう）の発生と進行を押さえ快適性を有する多くの機能を具備した画期的な構成を提供するものである。
なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１８】  以下、本考案の実施例について、図面を参照しながら説明する。
この実施例の配置は、
図１、図２に示すように、寝具１の人体に近い上層に、通気性表層シート２を配置し、該通気性表層シート２は、マイナスイオンを放出する機能や、遠赤外線効果を有する機能や、消臭効果機能等の一つ又はそれらを組み合わせた複合機能を有している。【００１９】  通気性表層シート２の下層には、低反発性を有し、復元時はスローリカバリー機能を有する上層マット３が配置されている。
上層マット３の下層には、制菌性を有する通気性制菌シート４を配置し、
該通気性制菌シート４の下層には、高弾性を有し、平面全体にわたって空気貫通孔６を有する中層マット５を配置している。【００２０】  中層マット５の下層には、高弾性を有し、無開孔又は平面全体にわたって空気貫通孔６を有する底層マット７を配置している。【００２１】  そして、前記のシート及びマット全体を抗菌防臭機能を有する布、ネット又は不織布製等の高機能抗菌カバー８で被覆している。
したがって、前記、課題等で述べた寝具が具備すべき望ましい機能を複合的に組合せ、効果を発揮できるのである。【００２２】  次に、効果及び寸法を述べると、
通気性表層シート２によりマイナスイオンを放出する機能や、遠赤外線効果を有する機能や、消臭効果機能等の複合機能が付与されることにより、人体に快適感を与える。【００２３】  次に上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。【００２４】  上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有するため、褥瘡（じょくそう）の発生の防止効果と進行を防止する効果を発揮するのである。【００２５】  また、該通気性制菌シート４の下層には、高弾性を有し、平面全体にわたって空気貫通孔６を有する中層マット５を配置している。叉、無開孔としても良い。
図３に示すように、空気貫通孔６は、直径Ｄを４〜１５ｍｍφとし、隣設する空気貫通孔６とのピッチＰを６〜３０ｍｍとする。【００２６】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピ      ング効果により拡散されより清潔となる。
５）更に中層マット５の空気貫通孔により湿気分散効果を発揮すること。
等の効果により褥瘡（じょくそう）の発生と進行を抑える機能を発揮する。【００２７】  中層マット５の下層には、高弾性を有し、無開孔又は平面全体にわたって空気貫通孔６を有する底層マット７を配置している。
この底層マット７は、高弾性ウレタンフォーム等の材質により寝具全体の基底部を構成しており、過度の沈込みを防止し、体を安定して支持する土台としての効果を発揮している。【００２８】  更に前記のシート及びマット全体を抗菌防臭機能を有する高機能抗菌カバー８で被覆する。
高機能抗菌カバー８は、人体に直接触れるので、その安全性や抗菌性が最も必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため抗菌剤が含浸、塗布等の方法で適用される。
具体的には、抗菌、防カビ、消臭製の高い穀類エキス系抗菌剤を用いることが望ましい。更に、この高機能抗菌カバー８はハーブ等の自然の成分を含浸させることにより、べた付きを抑え、芳香により心身を癒す効果を与えても良い。【００２９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００３０】  それぞれのシート及びマットの厚さは、図２に示すように、通気性表層シート２の厚さ（ｔ１）＝０．５〜７ｍｍ、上層マット３の厚さ（ｔ２）＝２０〜１００ｍｍ、通気性制菌シート２の厚さ（ｔ３）＝０．５〜７ｍｍ、中層マット３の厚さ（ｔ４）＝１０〜１００ｍｍ、底層マット７の厚さ（ｔ５）＝１０〜１００ｍｍ、更に高機能抗菌カバー８の厚さ（ｔ０）＝０．２〜７ｍｍ、とすることが望ましく、それぞれの材料の一般物性値によりこの範囲より選定される。
次に、それぞれのシート及びマットの材質や、詳細の機能について述べる。【００３１】  通気性表層シート２の機能を有するものの実施例としては、トルマリン含有のシートを用いる。
トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００３２】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため最上層に配置するのである。実用される材質例としては、トルマリンシート（登録商標）を用いても良い。
叉、通気性表層シート２に、通気性制菌シート４と同一の、制菌シートの材料を使用しても良い。【００３３】  次に、上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット３は、若干の通気性を有することが望ましい。【００３４】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。
叉、上層マット３には、穀類エキス系抗菌剤を、含浸、塗布等しても良い。【００３５】  次に、上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００３６】  次に、通気性制菌シート４の下層には、高弾性を有し、平面全体にわたって空気貫通孔６を有する中層マット５を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピ      ング効果により拡散されより清潔となる。
５）更に中層マット５の空気貫通孔により湿気分散効果を発揮すること。
等の効果により褥瘡（じょくそう）の発生と進行を抑える機能を発揮する。
叉、通気性制菌シート４に、通気性表層シート２と同一のマイナスイオンを放出する機能や、遠赤外線効果を有する機能や、消臭効果機能等の複合機能を有する材料を使用しても良い。【００３７】  中層マット５の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。叉、中層マット５には、穀類エキス系抗菌剤を、含浸、塗布等しても良い。【００３８】  中層マット５の下層には、高弾性を有し、無開孔又は平面全体にわたって空気貫通孔６を有する底層マット７を配置している。
空気貫通孔６は、底層マット７に対し、へたり防止や高弾性を持たせるため、無開孔とすることが多い。
この底層マット７は、高弾性ウレタンフォーム等の材質により寝具全体の基底部を構成しており、過度の沈込みを防止し、体を安定して支持する土台としての効果を発揮している。【００３９】  底層マット７の材質の実施例としては、中層マット５と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。叉、底層マット７には、穀類エキス系抗菌剤を、含浸、塗布等しても良い。【００４０】  さらに、前記のシート及びマット全体を高機能抗菌カバー８で被覆するが、高機能抗菌カバー８は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。【００４１】  それらに抗菌性等を持たせるため抗菌剤が含浸、塗布等の方法で適用される。
具体的には、抗菌、防カビ、消臭製の高い穀類エキス系抗菌剤を用いることが望ましい。
この「穀類エキス系抗菌剤」は、従来の抗菌剤が銀、銅、亜鉛などの重金属による「銀系抗菌剤」であったのに対し、大豆、米、麦などの穀類エキスを主成分とした抗菌剤である。
従って、人間の皮膚に触れて刺激性がなく、経口しても問題のない抗菌剤である。
抗菌範囲が広く、抗菌力が強いもので、「Ｏ−１５７、」「メチシリン耐性黄色ブドウ球菌（ＭＲＳＡ）」、「大腸菌」、「緑膿菌」、「白癬菌」、「レジオネラ菌」、「サルモネラ菌」、「カビ」等に対する抗菌性が高いものである。
その１例として、図７の穀類エキス系抗菌剤の試験データが示すように、それらの菌等全てに対し、極めて高い抗菌力を示している。その他多くの試験データにより抗菌力、人体に対する無害性を証明されている。
この「穀類エキス系抗菌剤」は、含浸、塗布等により適用することができ、直接肌に触れるため、褥瘡防止に最大の効果を発揮する重要な役割を果たしている。【００４２】  また、この「穀類エキス系抗菌剤」に加えて、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。
【実施例２】
【００４３】  本考案の実施例２は、前記通気性制菌シート４のみ、又は通気性表層シート２と通気性制菌シート４の両方の材質を、抗ウイルス性を有する天然ドロマイトを処理したドロマイト含有シートを使用するか、または前記通気性制菌シート４、又は通気性表層シート２に、前記ドロマイト含有シートを組み合わせて使用することを特徴とする。【００４４】  前記ドロマイト含有シートは、例えば、天然ドロマイトを使用した抗ウイルス加工のＢＲ−ｐ３フィルター（登録商標）シート等であって、カルシウムとマグネシウムが主成分のサンゴの化石「ドロマイト（白雲石）」に熱等の特殊処理を加えて製造した合成繊維シートである。
この繊維は、前記通気性制菌シート４の制菌性に、さらに鳥インフルエンザウイルス等のウイルスを破壊する等の極めて制菌性の高い画期的な合成繊維である。従って、本実施例２によれば、更に、高機能の寝具を提供することが出来るのである。
【実施例３】
【００４５】  本実施例は、図４、図５、図６に示すもので、図４は実施例３の全体斜視図である。
図５は、実施例３の上マットの側面図及び部分断面図である。
図６は、実施例３の下マットの側面図及び部分断面図である。
図４に示すように、寝具１は、上マット１１と、下マット１２で構成されており、通常図４のように、重ねて使用される。【００４６】  従って実施例１に対し、上マット１１を分離できるため、人体に近く汚れやすい上マット１１を単独で扱うことにより、上マット１１のみを上下ひっくり返して２倍使ったり、上マット１１のみを洗濯したり、交換することができるのである。また、上マット１１は、厚さが相対的に薄いので、ロール状に巻いて容易に運搬することができる。【００４７】  上マット１１の構成は、図５に示すように、上マット１１の全体表面は、高機能抗菌カバー１３により被覆されており、高機能抗菌カバー１３の内側には、通気性表層シート１４、その下には、上層マット１５、その下は、同様に通気性シート１４で構成され、その下には前記高機能抗菌カバー１３が、配置され上マット１１を被覆している。【００４８】  下マット１２は、前述の実施例１と同様の機能で、全体を支える役割を果たす。
詳細を順を追って説明すると、高機能抗菌カバー１３は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため穀物エキス系抗菌剤が含浸、塗布等の方法で適用される。
この「穀物エキス系抗菌剤」の特徴は、実施例１で述べたように、直接肌に触れるため、褥瘡防止に最大の効果を発揮する重要な役割を果たしており、極めて安全で、優れた性能を有する抗菌剤である。【００４９】  また、この「穀物エキス系抗菌剤」に、ハーブ等の自然の成分を含浸させることにより、べた付きを抑え、芳香により心身を癒す効果を与えても良い。
次に人体に近い寝具１の上マット１１の最上層に、通気性表層シート１４を配置する。該通気性表層シート１４は前記通気性表層シート２と同一の材料で、マイナスイオンを放出する機能や、遠赤外線効果を有する機能や、消臭効果機能等の一つ又はそれらを組み合わせた複合機能を有している。【００５０】  通気性表層シート１４の下層には、低反発性を有し、復元時はスローリカバリー機能を有する上層マット１５が配置されており、前記上層マット３と同一の材料となっている。いる。【００５１】  上層マット１５の下層には、最上層と同一の通気性表層シート１４を配置し、その下は、前記高機能抗菌カバー１３によりカバーされている。
以上が上マット１１の構成である。【００５２】  次に下マット１２は、最上面は前記高機能抗菌カバー１３によりカバーされ、前記高機能抗菌カバー１３の下層には、高弾性を有し、平面全体にわたって空気貫通孔６を有する中層マット１６を配置しており、前記中層マット７と同一の材料である。【００５３】  中層マット１６の下層には、高弾性を有し、無開孔又は平面全体にわたって空気貫通孔６を有する底層マット１７を配置している。
そして、その下側を前記高機能抗菌カバー１３で被覆している。
したがって、前記、課題等で述べた寝具が具備すべき望ましい機能を複合的に組合せ、効果を発揮できるのである。【００５４】  すなわち、表面の高機能抗菌カバー１３には、「穀物エキス系抗菌剤」を布、ネット又は不織布に対し、含浸、塗布等されており、次に、通気性表層シート１４によりマイナスイオンを放出する機能や、遠赤外線効果を有する機能や、消臭効果機能等の複合機能が付与されることにより、人体に快適感を与える。【００５５】  次に上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。そして、上層マット１５の下層には、通気性表層シート１４が配置され前述の効果を発揮する。【００５６】  下マット１２の詳細を述べると、前記高機能抗菌カバー１３の下層には、高弾性を有し、平面全体にわたって空気貫通孔６を有する中層マット１６を配置している。
図３に示すように、空気貫通孔６は、直径Ｄを４〜１５ｍｍφとし、隣設する空気貫通孔６とのピッチＰを６〜３０ｍｍとする。【００５７】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性表層シート１４により前記複合機能が付与され、空      気貫通孔６のポンピング効果により拡散されより清潔となる。
５）更に中層マット１６の空気貫通孔により湿気分散効果を発揮すること。
等の効果により褥瘡（じょくそう）の発生と進行を抑える機能を発揮する。【００５８】  中層マット１６の下層には、高弾性を有し、無開孔又は平面全体にわたって空気貫通孔６を有する底層マット１７を配置している。
この底層マット１７は、高弾性ウレタンフォーム等の材質により寝具全体の基底部を構成しており、過度の沈込みを防止し、体を安定して支持する土台としての効果を発揮している。【００５９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００６０】  それぞれのシート及びマットの厚さは、図５、図６に示すように、高機能抗菌カバー１３の厚さ（ｔ０）＝０．２〜７ｍｍ、通気性表層シート１４の厚さ（ｔ１）＝０．５〜７ｍｍ、上層マット１５の厚さ（ｔ２）＝１０〜１００ｍｍ、次の通気性表層シート１４の厚さ（ｔ１）＝０．５〜７ｍｍであることが望ましい。
また下マット１２の中層マット１６の厚さ（ｔ４）＝１０〜１００ｍｍ、底層マット１７の厚さ（ｔ５）＝１０〜１００ｍｍとすることが望ましく、それぞれの材料の一般物性値によりこの範囲より選定される。
次に、それぞれのシート及びマットの材質や、詳細の機能について述べる。【００６１】  高機能抗菌カバー１３は、前述の如く、「穀物エキス系抗菌剤」を布、ネット又は不織布に対し、含浸、塗布等されている。【００６２】  次の通気性表層シート１４の機能を有するものの実施例としては、トルマリン含有のシートを用いる。トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００６３】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため上層に配置するのである。実用される材質例としては、トルマリンシート（登録商標）を用いても良い。【００６４】  次に、上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット１５は、若干の通気性を有することが望ましい。【００６５】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。また前述のように、上層マット１５に対しても、前記穀類エキス系抗菌剤が、含浸、塗布等されることが望ましい。【００６６】  また、次に、上層マット１５の下層に配置した通気性表層シート１４は、トルマリンシート（登録商標）を用いるが、それに変えて前述の通気性制菌シート４と同一の材料としても良い。
通気性制菌シート４の場合は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００６７】  次に、下マット１２の上面の高機能抗菌カバー１３の下層には、高弾性を有し、平面全体にわたって空気貫通孔６を有する中層マット１６を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性表層シート１４又は、通気性制菌シート４と同一の      材料により制菌され空気貫通孔６のポンピング効果により拡散されより清潔となる      。
５）更に中層マット１６の空気貫通孔により湿気分散効果を発揮すること。
等の効果により褥瘡（じょくそう）の発生と進行を抑える機能を発揮する。【００６８】  中層マット１６の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また前述のように、中層マット１６に対しても、前記穀類エキス系抗菌剤が、含浸、塗布等されることが望ましい。【００６９】  中層マット１６の下層には、高弾性を有し、無開孔又は平面全体にわたって空気貫通孔６を有する底層マット１７を配置している。
空気貫通孔６は、底層マット１７に対しへたり防止や高弾性を持たせるため、無開孔とすることが多い。
この底層マット１７は、高弾性ウレタンフォーム等の材質により寝具全体の基底部を構成しており、過度の沈込みを防止し、体を安定して支持する土台としての効果を発揮している。【００７０】  底層マット１７の材質の実施例としては、中層マット１６と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また中層マット１６と同様底層マット１７に対しても、前記穀類エキス系抗菌剤が、含浸、塗布等されることが望ましい。【００７１】  さらに、その下表面を高機能抗菌カバー１３で被覆するが、前記穀類エキス系抗菌剤が、布、ネット又は不織布に対し、含浸、塗布等されている。
また、この穀類エキス系抗菌剤に、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。【００７２】  ［変形実施例］
この考案は次のように変形して実施することを含むものである。
（１）中層マット５と底層マット７、又は、中層マット１６と底層マット１７を一体として、いずれかを設けなくても良い。
（２）上層マット３を設けず、通気性表層シート２の下層に中層マット５を配置し、該        中層マット５の下層に通気性制菌シート４を配置し、該通気性制菌シート４の下        層に底層マット７を配置する組合せとしても良い。この構成とすると、構造が単        純となり、コスト的にも削減が可能となる。
（３）上層マット３、１５、中層マット５、１６、底層マット７、１７の材質を、前記        した夫々のいずれかの材質に統一したり、いずれかの材質を選定する構成とする        ことも可能である。この構成とすると、同様に構造が単純となり、コスト的にも        削減が可能となる。
（４）高機能抗菌カバー８、高機能抗菌カバー１３を通常の綿、麻、合成樹脂等の布製高機能抗菌カバーとしても良い。
（５）実施例３の下マット１２は、通常の敷布団又は、マットレス等でも良く、それらを、高機能抗菌カバー１３で、被覆しても良い。
【産業上の利用可能性】
【００７３】    本考案の活用例としては、以上説明したように、急速な高齢化社会の到来による寝たきり老人や長期療養者の増加に伴い、病院や養護施設、一般家庭で用いられる寝具に関し、褥瘡（じょくそう）を防止する寝具を提供するため、高齢化社会問題の解決と画期的製品による産業の活性化に貢献することが出来る。
【図面の簡単な説明】
【００７４】
【図１】本考案の実施例１、２の全体斜視図である。
【図２】本考案の実施例１、２の側面図及び部分断面図である。
【図３】本考案の実施例１、２のＡ−Ａ断面図である。
【図４】本考案の実施例３の全体斜視図である。
【図５】本考案の実施例３の上マットの側面図及び部分断面図である。
【図６】本考案の実施例３の下マットの側面図及び部分断面図である。
【図７】穀類エキス系抗菌剤の試験データである。
【符号の説明】
【００７５】１  寝具
２、１４  通気性表層シート
３、１５  上層マット
４        通気性制菌シート
５、１６  中層マット
６        空気貫通孔
７、１７  底層マット
８、１３  高機能抗菌カバー
１１      上マット
１２      下マット
【手続補正書】
【提出日】平成18年12月25日(2006.12.25)
【手続補正１】
【補正対象書類名】実用新案登録請求の範囲
【補正対象項目名】全文
【補正方法】変更
【補正の内容】
【実用新案登録請求の範囲】
【請求項１】
布団やマットレス等の寝具において、
人体に近い上層に通気性表層シートを配し、
通気性表層シートの下層に低反発性の上層マットを配置し、
上層マットの下層に通気性制菌シートを配置し、
通気性制菌シートの下層に高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記の通気性表層シート、上層マット、通気性制菌シート、中層マット、及び底層マットの夫々の全体を、抗菌剤が含浸、又は塗布された高機能抗菌カバーにより被覆することを特徴とする寝具。
【請求項２】
布団やマットレス等の寝具において、
寝具全体は、上マットと下マットにより構成されており、
上マットの表面は、抗菌剤が含浸、又は塗布された高機能抗菌カバーにより被覆され、
上マットの人体に近い上層に通気性表層シート及び／又は前記通気性制菌シートを配し、
その下層に、低反発性の上層マットを配置し、
上層マットの下層に前記通気性表層シート及び／又は前記通気性制菌シートを配置し、その下層を抗菌剤が含浸、又は塗布された高機能抗菌カバーにより被覆された上マットと、
下マットの表面は、抗菌剤が含浸、又は塗布された高機能抗菌カバーにより被覆され、前記高機能抗菌カバーの下層に高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
その下層を抗菌剤が含浸、又は塗布された高機能抗菌カバーにより被覆された下マットとで構成したことを特徴とする寝具。
【請求項３】
前記通気性表層シート、及び／又は前記通気性制菌シートを、トルマリン含有のシートとするか、又はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１又は２記載の寝具。
【請求項４】
上層マットをスローリカバリー機能を有する低反発ウレタンスポンジ等の合成樹脂フォームとすると共に、中層マット、及び／又は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２、又は３記載の寝具。
【請求項５】
前記中層マットの平面及び／又は前記底層マットの平面に、高さ方向に貫通する空気貫通孔を設けた寝具であって、前記空気貫通孔の直径Ｄを４〜１５ｍｍφとし、隣設する空気貫通孔とのピッチＰを６〜３０ｍｍとしたことを特徴とする請求項１、又は２、又は３、又は４記載の寝具。
【請求項６】
前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４、又は５記載の寝具。
【請求項７】
前記高機能抗菌カバーに含浸、又は塗布される抗菌剤は、人体に無害、かつ高抗菌性の穀類エキス系抗菌剤であることを特徴とする請求項１、又は２、又は３、又は４、又は５、叉は６記載の寝具。
【手続補正２】
【補正対象書類名】明細書
【補正対象項目名】全文
【補正方法】変更
【補正の内容】
【考案の詳細な説明】
【技術分野】
【０００１】  本考案は、病院や養護施設、一般家庭で用いられる寝具に関する。
【背景技術】
【０００２】  従来より、数多くの布団、マットレス等の寝具が提供されて来ていたが、急速な高齢化社会の到来による寝たきり老人や長期療養者の増加に伴い、長時間にわたってベッド生活を余儀なくされる人たちが増加してきている。
その場合、いわゆる床ずれと呼ばれる褥瘡（じょくそう）が発生し、これは、非常に治りにくい皮膚の潰瘍で、発熱の原因になったり、時に命取りになるため、褥瘡（じょくそう）を作りにくい寝具が望まれていた。【０００３】  これらの問題を解消しようとする特許文献としては、［特開２００５−８７２３９号］（以下、「引例」という）が提案されている。【０００４】  しかしこの引例においては、確かに体圧分散効果に対してのみは、考慮されているが、  現実の褥瘡発生においては、体圧分散効果だけでは不十分で、むしろ、体の圧迫部分の皮膚の接触部における通気性や、制菌性が、褥瘡発生に、最も影響を与えるのである。【０００５】  皮膚表面の圧迫部分には、まず湿気が発生し、次にそれで、皮膚表面が不潔となり、次に炎症の発生となり、それが褥瘡発生に繋がるのである。また炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する抗菌性が重要な要素となるのである。【０００６】  引例の構造には、平面に通気孔が全くなきため、圧迫部分の皮膚表面の湿気はこもってしまうのである。通気性は、最も重要な要素の一つなので積層弾性クッション間の隙間では、全くその効果は期待できない。【０００７】  従って耐圧分散によるハンモック効果を無くすだけの構成であり、制菌性や、その他快適感に必要なマイナスイオン効果、遠赤外線効果、消臭効果等の重要な機能も有していないものであった。
【特許文献１】特開２００５−８７２３９号
【考案の開示】
【考案が解決しようとする課題】
【０００８】    本考案は、前述の問題を解決した寝具を提供するもので、特に長時間の横臥により、局部的圧迫による褥瘡（じょくそう）ができないよう通気性と血行、制菌性、快適性等を考慮した極めて実用上の効果の高い寝具を提供するものである。
【課題を解決するための手段】
【０００９】布団やマットレス等の寝具において、
人体に近い上層に通気性表層シートを配し、
通気性表層シートの下層に低反発性の上層マットを配置し、
上層マットの下層に通気性制菌シートを配置し、
通気性制菌シートの下層に高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
前記の通気性表層シート、上層マット、通気性制菌シート、中層マット、及び底層マットの夫々の全体を、抗菌剤が含浸、又は塗布された高機能抗菌カバーにより被覆することを特徴とする寝具を提供する。【００１０】布団やマットレス等の寝具において、
寝具全体は、上マットと下マットにより構成されており、
上マットの表面は、抗菌剤が含浸、又は塗布された高機能抗菌カバーにより被覆され、
上マットの人体に近い上層に通気性表層シート及び／又は前記通気性制菌シートを配し、
その下層に、低反発性の上層マットを配置し、
上層マットの下層に前記通気性表層シート及び／又は前記通気性制菌シートを配置し、その下層を抗菌剤が含浸、又は塗布された高機能抗菌カバーにより被覆された上マットと、
下マットの表面は、抗菌剤が含浸、又は塗布された高機能抗菌カバーにより被覆され、前記高機能抗菌カバーの下層に高弾性を有し、且つ無開孔又は平面にわたって空気貫通孔を有する中層マットを配置し、
中層マットの下層に高弾性を有し、無開孔又は平面にわたって空気貫通孔を有する底層マットを配置し、
その下層を抗菌剤が含浸、又は塗布された高機能抗菌カバーにより被覆された下マットとで構成したことを特徴とする寝具を提供する。【００１１】前記通気性表層シート、及び／叉は前記通気性制菌シートを、トルマリン含有のシートとするか、叉はメチシリン耐性黄色葡萄状球菌（ＭＲＳＡ）、黄色葡萄状球菌、緑膿菌、肺炎かん菌、又は大腸菌等のいずれか、又は全部に制菌性を有する高機能繊維シートとしたことを特徴とする請求項１又は２記載の寝具を提供する。【００１２】上層マットをスローリカバリー機能を有する低反発ウレタンスポンジ等の合成樹脂フォームとすると共に、中層マット、及び／又は底層マットの材質を高弾性のウレタン樹脂フォームや、チップ状ウレタン樹脂を用いたり、又はそれらを積層して張合わせたものを用いた合成樹脂製の高弾性マットとしたことを特徴とする請求項１、又は２、又は３記載の寝具を提供する。【００１３】前記中層マットの平面及び／又は前記底層マットの平面に、高さ方向に貫通する空気貫通孔を設けた寝具であって、前記空気貫通孔の直径Ｄを４〜１５ｍｍφとし、隣設する空気貫通孔とのピッチＰを６〜３０ｍｍとしたことを特徴とする請求項１、又は２、又は３、又は４記載の寝具を提供する。【００１４】前記通気性制菌シートのみ、又は通気性表層シートと通気性制菌シートの両方の材質を抗ウイルス性を有する天然ドロマイトを処理したドロマイト含有シートを使用するか、または前記通気性制菌シート、又は通気性表層シートに、前記ドロマイト含有シートを組み合わせて使用することを特徴とする請求項１、又は２、又は３、又は４、又は５記載の寝具を提供する。【００１５】  前記高機能抗菌カバーに含浸、又は塗布される抗菌剤は、人体に無害、かつ高抗菌性の穀類エキス系抗菌剤であることを特徴とする請求項１、又は２、又は３、又は４、又は５、叉は６記載の寝具を提供する。
【考案の効果】
【００１６】  本考案の寝具は、褥瘡（じょくそう）の発生と進行を抑える実際上の効果を有するものである。その特徴を列記すると
（１）通気性表層シート２によりマイナスイオンを放出する機能や、遠赤外線効果を有する機能や、消臭効果機能等の複合機能が付与されることにより、人体に快適感を与える。
（２）次に上層マット３は、低反発性であるため、ゆっくり沈み、ゆっくり戻ってくるため、通気性表層シート２に付与されたマイナスイオン放出機能、遠赤外線効果、消臭効果等の複合機能、叉は前記通気性制菌シートの制菌機能をポンピング機能により拡散する働きを発揮する。
（３）また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。
（４）通気性制菌シートの制菌手段、又は実施例３の高機能抗菌カバーを通過した湿気及び腐敗物質、叉は、マイナスイオン放出機能、遠赤外線効果、消臭効果等の複合機能効果は、中層マット部の空気貫通孔に流れ、ポンピング機能により通気性制菌シート、叉は、高機能抗菌カバーの抗菌・制菌作用を拡散する働きを発揮し、制菌されより清潔となる。
（５）更に湿気分散効果を発揮する。
（６）空気貫通孔の配列により、体圧の分散効果が計れる。
（７）皮膚が乾燥するため、不潔にならず、腐敗菌の発生が押さえられる。
（８）実施例３の上マット１１と下マット１２に分けることにより、人体に近く汚れ易い上マット１１が、洗濯しやすく、また上下裏返しで使用することにより２倍使用でき、叉、上マットだけを交換でき、運搬も上マットを巻き込んで容易に行うことができる。
【考案を実施するための最良の形態】
【００１７】    本考案は、考案の効果に前述した如く、すなわち、褥瘡（じょくそう）の発生と進行を押さえ快適性を有する多くの機能を具備した画期的な構成を提供するものである。
なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１８】  以下、本考案の実施例について、図面を参照しながら説明する。
この実施例の配置は、
図１、図２に示すように、寝具１の人体に近い上層に、通気性表層シート２を配置し、該通気性表層シート２は、マイナスイオンを放出する機能や、遠赤外線効果を有する機能や、消臭効果機能等の一つ又はそれらを組み合わせた複合機能を有している。【００１９】  通気性表層シート２の下層には、低反発性を有し、復元時はスローリカバリー機能を有する上層マット３が配置されている。
上層マット３の下層には、制菌性を有する通気性制菌シート４を配置し、
該通気性制菌シート４の下層には、高弾性を有し、平面全体にわたって空気貫通孔６を有する中層マット５を配置している。【００２０】  中層マット５の下層には、高弾性を有し、無開孔又は平面全体にわたって空気貫通孔６を有する底層マット７を配置している。【００２１】  そして、前記のシート及びマット全体を抗菌防臭機能を有する布、ネット又は不織布製等の高機能抗菌カバー８で被覆している。
したがって、前記、課題等で述べた寝具が具備すべき望ましい機能を複合的に組合せ、効果を発揮できるのである。【００２２】  次に、効果及び寸法を述べると、
通気性表層シート２によりマイナスイオンを放出する機能や、遠赤外線効果を有する機能や、消臭効果機能等の複合機能が付与されることにより、人体に快適感を与える。【００２３】  次に上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。【００２４】  上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有するため、褥瘡（じょくそう）の発生の防止効果と進行を防止する効果を発揮するのである。【００２５】  また、該通気性制菌シート４の下層には、高弾性を有し、平面全体にわたって空気貫通孔６を有する中層マット５を配置している。叉、無開孔としても良い。
図３に示すように、空気貫通孔６は、直径Ｄを４〜１５ｍｍφとし、隣設する空気貫通孔６とのピッチＰを６〜３０ｍｍとする。【００２６】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピング効果により拡散されより清潔となる。
５）更に中層マット５の空気貫通孔により湿気分散効果を発揮すること。
等の効果により褥瘡（じょくそう）の発生と進行を抑える機能を発揮する。【００２７】  中層マット５の下層には、高弾性を有し、無開孔又は平面全体にわたって空気貫通孔６を有する底層マット７を配置している。
この底層マット７は、高弾性ウレタンフォーム等の材質により寝具全体の基底部を構成しており、過度の沈込みを防止し、体を安定して支持する土台としての効果を発揮している。【００２８】  更に前記のシート及びマット全体を抗菌防臭機能を有する高機能抗菌カバー８で被覆する。
高機能抗菌カバー８は、人体に直接触れるので、その安全性や抗菌性が最も必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため抗菌剤が含浸、塗布等の方法で適用される。
具体的には、抗菌、防カビ、消臭製の高い穀類エキス系抗菌剤を用いることが望ましい。更に、この高機能抗菌カバー８はハーブ等の自然の成分を含浸させることにより、べた付きを抑え、芳香により心身を癒す効果を与えても良い。【００２９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００３０】  それぞれのシート及びマットの厚さは、図２に示すように、通気性表層シート２の厚さ（ｔ１）＝０．５〜７ｍｍ、上層マット３の厚さ（ｔ２）＝２０〜１００ｍｍ、通気性制菌シート２の厚さ（ｔ３）＝０．５〜７ｍｍ、中層マット３の厚さ（ｔ４）＝１０〜１００ｍｍ、底層マット７の厚さ（ｔ５）＝１０〜１００ｍｍ、更に高機能抗菌カバー８の厚さ（ｔ０）＝０．２〜７ｍｍ、とすることが望ましく、それぞれの材料の一般物性値によりこの範囲より選定される。
次に、それぞれのシート及びマットの材質や、詳細の機能について述べる。【００３１】  通気性表層シート２の機能を有するものの実施例としては、トルマリン含有のシートを用いる。
トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００３２】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため最上層に配置するのである。実用される材質例としては、トルマリンシート（登録商標）を用いても良い。
叉、通気性表層シート２に、通気性制菌シート４と同一の、制菌シートの材料を使用しても良い。【００３３】  次に、上層マット３は、低反発性であるため、ゆっくり沈み、ゆっくり戻ってくるため、通気性表層シート２に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット３は、若干の通気性を有することが望ましい。【００３４】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。
叉、上層マット３には、穀類エキス系抗菌剤を、含浸、塗布等しても良い。【００３５】  次に、上層マット３の下層に配置した通気性制菌シート４は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００３６】  次に、通気性制菌シート４の下層には、高弾性を有し、平面全体にわたって空気貫通孔６を有する中層マット５を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性制菌シート４により制菌され空気貫通孔６のポンピング効果により拡散されより清潔となる。
５）更に中層マット５の空気貫通孔により湿気分散効果を発揮すること。
等の効果により褥瘡（じょくそう）の発生と進行を抑える機能を発揮する。
叉、通気性制菌シート４に、通気性表層シート２と同一のマイナスイオンを放出する機能や、遠赤外線効果を有する機能や、消臭効果機能等の複合機能を有する材料を使用しても良い。【００３７】  中層マット５の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。叉、中層マット５には、穀類エキス系抗菌剤を、含浸、塗布等しても良い。【００３８】  中層マット５の下層には、高弾性を有し、無開孔又は平面全体にわたって空気貫通孔６を有する底層マット７を配置している。
空気貫通孔６は、底層マット７に対し、へたり防止や高弾性を持たせるため、無開孔とすることが多い。
この底層マット７は、高弾性ウレタンフォーム等の材質により寝具全体の基底部を構成しており、過度の沈込みを防止し、体を安定して支持する土台としての効果を発揮している。【００３９】  底層マット７の材質の実施例としては、中層マット５と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。叉、底層マット７には、穀類エキス系抗菌剤を、含浸、塗布等しても良い。【００４０】  さらに、前記のシート及びマット全体を高機能抗菌カバー８で被覆するが、高機能抗菌カバー８は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。【００４１】  それらに抗菌性等を持たせるため抗菌剤が含浸、塗布等の方法で適用される。
具体的には、抗菌、防カビ、消臭製の高い穀類エキス系抗菌剤を用いることが望ましい。
この「穀類エキス系抗菌剤」は、従来の抗菌剤が銀、銅、亜鉛などの重金属による「銀系抗菌剤」であったのに対し、大豆、米、麦などの穀類エキスを主成分とした抗菌剤である。
従って、人間の皮膚に触れて刺激性がなく、経口しても問題のない抗菌剤である。
抗菌範囲が広く、抗菌力が強いもので、「Ｏ−１５７、」「メチシリン耐性黄色ブドウ球菌（ＭＲＳＡ）」、「大腸菌」、「緑膿菌」、「白癬菌」、「レジオネラ菌」、「サルモネラ菌」、「カビ」等に対する抗菌性が高いものである。
その１例として、図７の穀類エキス系抗菌剤の試験データが示すように、それらの菌等全てに対し、極めて高い抗菌力を示している。その他多くの試験データにより抗菌力、人体に対する無害性を証明されている。
この「穀類エキス系抗菌剤」は、含浸、塗布等により適用することができ、直接肌に触れるため、褥瘡防止に最大の効果を発揮する重要な役割を果たしている。【００４２】  また、この「穀類エキス系抗菌剤」に加えて、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。
【実施例２】
【００４３】  本考案の実施例２は、前記通気性制菌シート４のみ、又は通気性表層シート２と通気性制菌シート４の両方の材質を、抗ウイルス性を有する天然ドロマイトを処理したドロマイト含有シートを使用するか、または前記通気性制菌シート４、又は通気性表層シート２に、前記ドロマイト含有シートを組み合わせて使用することを特徴とする。【００４４】  前記ドロマイト含有シートは、例えば、天然ドロマイトを使用した抗ウイルス加工のＢＲ−ｐ３フィルター（登録商標）シート等であって、カルシウムとマグネシウムが主成分のサンゴの化石「ドロマイト（白雲石）」に熱等の特殊処理を加えて製造した合成繊維シートである。
この繊維は、前記通気性制菌シート４の制菌性に、さらに鳥インフルエンザウイルス等のウイルスを破壊する等の極めて制菌性の高い画期的な合成繊維である。従って、本実施例２によれば、更に、高機能の寝具を提供することが出来るのである。
【実施例３】
【００４５】  本実施例は、図４、図５、図６に示すもので、図４は実施例３の全体斜視図である。
図５は、実施例３の上マットの側面図及び部分断面図である。
図６は、実施例３の下マットの側面図及び部分断面図である。
図４に示すように、寝具１は、上マット１１と、下マット１２で構成されており、通常図４のように、重ねて使用される。【００４６】  従って実施例１に対し、上マット１１を分離できるため、人体に近く汚れやすい上マット１１を単独で扱うことにより、上マット１１のみを上下ひっくり返して２倍使ったり、上マット１１のみを洗濯したり、交換することができるのである。また、上マット１１は、厚さが相対的に薄いので、ロール状に巻いて容易に運搬することができる。【００４７】  上マット１１の構成は、図５に示すように、上マット１１の全体表面は、高機能抗菌カバー１３により被覆されており、高機能抗菌カバー１３の内側には、通気性表層シート１４、その下には、上層マット１５、その下は、同様に通気性シート１４で構成され、その下には前記高機能抗菌カバー１３が、配置され上マット１１を被覆している。【００４８】  下マット１２は、前述の実施例１と同様の機能で、全体を支える役割を果たす。
詳細を順を追って説明すると、高機能抗菌カバー１３は、人体に直接触れるので、その安全性や抗菌性がもっとも必要で、材料は木綿、麻、ウール、絹等の天然繊維、又はポリエステル、ナイロン等の合成繊維又はそれらの混紡による布、ネット又は不織布等で製作される。
それらに抗菌性等を持たせるため穀物エキス系抗菌剤が含浸、塗布等の方法で適用される。
この「穀物エキス系抗菌剤」の特徴は、実施例１で述べたように、直接肌に触れるため、褥瘡防止に最大の効果を発揮する重要な役割を果たしており、極めて安全で、優れた性能を有する抗菌剤である。【００４９】  また、この「穀物エキス系抗菌剤」に、ハーブ等の自然の成分を含浸させることにより、べた付きを抑え、芳香により心身を癒す効果を与えても良い。
次に人体に近い寝具１の上マット１１の最上層に、通気性表層シート１４を配置する。該通気性表層シート１４は前記通気性表層シート２と同一の材料で、マイナスイオンを放出する機能や、遠赤外線効果を有する機能や、消臭効果機能等の一つ又はそれらを組み合わせた複合機能を有している。【００５０】  通気性表層シート１４の下層には、低反発性を有し、復元時はスローリカバリー機能を有する上層マット１５が配置されており、前記上層マット３と同一の材料となっている。いる。【００５１】  上層マット１５の下層には、最上層と同一の通気性表層シート１４を配置し、その下は、前記高機能抗菌カバー１３によりカバーされている。
以上が上マット１１の構成である。【００５２】  次に下マット１２は、最上面は前記高機能抗菌カバー１３によりカバーされ、前記高機能抗菌カバー１３の下層には、高弾性を有し、平面全体にわたって空気貫通孔６を有する中層マット１６を配置しており、前記中層マット７と同一の材料である。【００５３】  中層マット１６の下層には、高弾性を有し、無開孔又は平面全体にわたって空気貫通孔６を有する底層マット１７を配置している。
そして、その下側を前記高機能抗菌カバー１３で被覆している。
したがって、前記、課題等で述べた寝具が具備すべき望ましい機能を複合的に組合せ、効果を発揮できるのである。【００５４】  すなわち、表面の高機能抗菌カバー１３には、「穀物エキス系抗菌剤」を布、ネット又は不織布に対し、含浸、塗布等されており、次に、通気性表層シート１４によりマイナスイオンを放出する機能や、遠赤外線効果を有する機能や、消臭効果機能等の複合機能が付与されることにより、人体に快適感を与える。【００５５】  次に上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果あり、また復元時はスローリカバリー機能を有するため理想的な寝姿勢を保ち、肩こりや疲れなどに対し効果を発揮する。そして、上層マット１５の下層には、通気性表層シート１４が配置され前述の効果を発揮する。【００５６】  下マット１２の詳細を述べると、前記高機能抗菌カバー１３の下層には、高弾性を有し、平面全体にわたって空気貫通孔６を有する中層マット１６を配置している。
図３に示すように、空気貫通孔６は、直径Ｄを４〜１５ｍｍφとし、隣設する空気貫通孔６とのピッチＰを６〜３０ｍｍとする。【００５７】  その効果は、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性表層シート１４により前記複合機能が付与され、空気貫通孔６のポンピング効果により拡散されより清潔となる。
５）更に中層マット１６の空気貫通孔により湿気分散効果を発揮すること。
等の効果により褥瘡（じょくそう）の発生と進行を抑える機能を発揮する。【００５８】  中層マット１６の下層には、高弾性を有し、無開孔又は平面全体にわたって空気貫通孔６を有する底層マット１７を配置している。
この底層マット１７は、高弾性ウレタンフォーム等の材質により寝具全体の基底部を構成しており、過度の沈込みを防止し、体を安定して支持する土台としての効果を発揮している。【００５９】  それぞれのシート及びマットの材質や、詳細の機能については、後述するが、以上述べたそれぞれの配置と機能の相乗効果により褥瘡（じょくそう）の発生と進行を抑える機能を発揮するとともに、人間に快適な睡眠を提供することが出来るのである。【００６０】  それぞれのシート及びマットの厚さは、図５、図６に示すように、高機能抗菌カバー１３の厚さ（ｔ０）＝０．２〜７ｍｍ、通気性表層シート１４の厚さ（ｔ１）＝０．５〜７ｍｍ、上層マット１５の厚さ（ｔ２）＝１０〜１００ｍｍ、次の通気性表層シート１４の厚さ（ｔ１）＝０．５〜７ｍｍであることが望ましい。
また下マット１２の中層マット１６の厚さ（ｔ４）＝１０〜１００ｍｍ、底層マット１７の厚さ（ｔ５）＝１０〜１００ｍｍとすることが望ましく、それぞれの材料の一般物性値によりこの範囲より選定される。
次に、それぞれのシート及びマットの材質や、詳細の機能について述べる。【００６１】  高機能抗菌カバー１３は、前述の如く、「穀物エキス系抗菌剤」を布、ネット又は不織布に対し、含浸、塗布等されている。【００６２】  次の通気性表層シート１４の機能を有するものの実施例としては、トルマリン含有のシートを用いる。トルマリンは、シートの繊維や基材にトルマリンの微細な粒子を付着、接着して含浸させたり、基材そのものに混入する等の構成で含有することが出来る。
寝具に対するトルマリンの効果としては、人は睡眠中に汗を出すが、トルマリン結晶は、この汗に反応し、マイナスイオンを放出するので、寝具の中はマイナスイオンでいっぱいとなるのである。またマイナスイオンは電子であるため呼吸によっても吸収されるが、人体の皮膚の中で特に誘電性の高い「ツボ」の部分から血液等の体液に吸収される効果も発揮する。【００６３】  マイナスイオンの発生は、汗だけでなく、空気の対流や寝返りの際の摩擦、体重による圧力、体温によっても影響を発揮する。マイナスイオンは、人間の精神をリラックスさせる効果を有することが知られている。
遠赤外線は、加熱されると発生し、生物の育成に深いかかわりがあることがわかって折り生育光線と呼ばれ、それが放出されるのである。
また、トルマリンには、特に硫化水素やアンモニアの臭気成分に対して優れた消臭効果を発揮する。
そのため上層に配置するのである。実用される材質例としては、トルマリンシート（登録商標）を用いても良い。【００６４】  次に、上層マット１５は、低反発性であるため、ゆっくり沈み、ゆっくり戻ってくるため、通気性表層シート１４に付与されたマイナスイオン放出機能、遠赤外線効果、消臭効果等の複合機能をポンピング機能により拡散する働きを発揮する。
また、身体になじみやすく局部的接触圧力を分散し接触面を広く取る効果があるため、褥瘡（じょくそう）の発生の防止効果があり、また復元時はスローリカバリー機能を有するため理想的な寝姿勢を保ち、肩こりや疲れなどに対し効果を発揮する。また、上層マット１５は、若干の通気性を有することが望ましい。【００６５】  材質の例としては、低反発ウレタン樹脂フォーム等が用いられる。
その一般物性は、例えば、密度が５５±２０（ｋｇ／ｍ３）、反発性が２５％以下、圧縮残量歪みが２０％以下、硬さが、５０±４０（Ｎ）等の材料を使用する。また前述のように、上層マット１５に対しても、前記穀類エキス系抗菌剤が、含浸、塗布等されることが望ましい。【００６６】  また、次に、上層マット１５の下層に配置した通気性表層シート１４は、トルマリンシート（登録商標）を用いるが、それに変えて前述の通気性制菌シート４と同一の材料としても良い。
通気性制菌シート４の場合は、炎症の発生の原因となるメチシリン耐性黄色葡萄状球菌（ＭＲＳＡ）、黄色葡萄状球菌、緑膿菌、肺炎かん菌、又は大腸菌等のいずれか、又は全部に対する制菌性を有する。そのため、前述のごとく褥瘡（じょくそう）の発生の防止効果と進行を防止する効果を発揮するのである。
通気性制菌シート４の材質の実施例としては、大和紡績（登録商標）社製のクリアフレッシュ（登録商標）等を用いても良い。【００６７】  次に、下マット１２の上面の高機能抗菌カバー１３の下層には、高弾性を有し、平面全体にわたって空気貫通孔６を有する中層マット１６を配置している。
その効果は、前述のように、
１）空気貫通孔６の配列により、体圧の分散効果が計れること。
２）体の圧迫部分の湿気を、マット部の空気貫通孔６によりこもらせない。
３）皮膚が乾燥するため、不潔にならず、腐敗菌の発生が押さえられること。
４）湿気、及び腐敗物質は、通気性表層シート１４又は、通気性制菌シート４と同一の材料により制菌され空気貫通孔６のポンピング効果により拡散されより清潔となる。
５）更に中層マット１６の空気貫通孔により湿気分散効果を発揮すること。
等の効果により褥瘡（じょくそう）の発生と進行を抑える機能を発揮する。【００６８】  中層マット１６の材質の実施例としては、へたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また前述のように、中層マット１６に対しても、前記穀類エキス系抗菌剤が、含浸、塗布等されることが望ましい。【００６９】  中層マット１６の下層には、高弾性を有し、無開孔又は平面全体にわたって空気貫通孔６を有する底層マット１７を配置している。
空気貫通孔６は、底層マット１７に対しへたり防止や高弾性を持たせるため、無開孔とすることが多い。
この底層マット１７は、高弾性ウレタンフォーム等の材質により寝具全体の基底部を構成しており、過度の沈込みを防止し、体を安定して支持する土台としての効果を発揮している。【００７０】  底層マット１７の材質の実施例としては、中層マット１６と同様のへたりが少なく、硬度の有る高弾性のウレタン樹脂フォームや、チップ状ウレタン樹脂を用いたり、又はそれらを積層して張合わせたものを用いることが出来る。
その一般物性は、例えば、密度が４５±１０（ｋｇ／ｍ３）、引張強度が６０（ｋＰａ）以上、硬さが、１７５±３０（Ｎ）、圧縮残量歪みが５．０％以下、伸びが、７０％以上等の材料を使用する。また中層マット１６と同様底層マット１７に対しても、前記穀類エキス系抗菌剤が、含浸、塗布等されることが望ましい。【００７１】  さらに、その下表面を高機能抗菌カバー１３で被覆するが、前記穀類エキス系抗菌剤が、布、ネット又は不織布に対し、含浸、塗布等されている。
また、この穀類エキス系抗菌剤に、ハーブ等の自然の成分を含浸させることにより、べた付きを抑え、芳香により心身を癒す効果を与えても良い。
ハーブ等の材質の実施例としては、大和紡績（登録商標）社製のハーブトリート（登録商標）や、ヒノキフレッシュ（登録商標）等を用いても良い。【００７２】  ［変形実施例］
この考案は次のように変形して実施することを含むものである。
（１）中層マット５と底層マット７、又は、中層マット１６と底層マット１７を一体として、いずれかを設けなくても良い。
（２）上層マット３を設けず、通気性表層シート２の下層に中層マット５を配置し、該中層マット５の下層に通気性制菌シート４を配置し、該通気性制菌シート４の下層に底層マット７を配置する組合せとしても良い。この構成とすると、構造が単純となり、コスト的にも削減が可能となる。
（３）上層マット３、１５、中層マット５、１６、底層マット７、１７の材質を、前記した夫々のいずれかの材質に統一したり、いずれかの材質を選定する構成とすることも可能である。この構成とすると、同様に構造が単純となり、コスト的にも削減が可能となる。
（４）高機能抗菌カバー８、高機能抗菌カバー１３を通常の綿、麻、合成樹脂等の布製高機能抗菌カバーとしても良い。
（５）実施例３の下マット１２は、通常の敷布団又は、マットレス等でも良く、それらを、高機能抗菌カバー１３で、被覆しても良い。
【産業上の利用可能性】
【００７３】    本考案の活用例としては、以上説明したように、急速な高齢化社会の到来による寝たきり老人や長期療養者の増加に伴い、病院や養護施設、一般家庭で用いられる寝具に関し、褥瘡（じょくそう）を防止する寝具を提供するため、高齢化社会問題の解決と画期的製品による産業の活性化に貢献することが出来る。
【図面の簡単な説明】
【００７４】
【図１】本考案の実施例１、２の全体斜視図である。
【図２】本考案の実施例１、２の側面図及び部分断面図である。
【図３】本考案の実施例１、２のＡ−Ａ断面図である。
【図４】本考案の実施例３の全体斜視図である。
【図５】本考案の実施例３の上マットの側面図及び部分断面図である。
【図６】本考案の実施例３の下マットの側面図及び部分断面図である。
【図７】穀類エキス系抗菌剤の試験データである。
【符号の説明】
【００７５】１  寝具
２、１４  通気性表層シート
３、１５  上層マット
４        通気性制菌シート
５、１６  中層マット
６        空気貫通孔
７、１７  底層マット
８、１３  高機能抗菌カバー
１１      上マット
１２      下マット
【手続補正書】
【提出日】平成19年2月15日(2007.2.15)
【手続補正１】
【補正対象書類名】図面
【補正対象項目名】図７
【補正方法】変更
【補正の内容】
【図７】
0003131721.tif 000010